(57)【特許請求の範囲】
【請求項１】
枠と、枠に開閉自在に設けた障子とを備え、枠は、縦枠と横枠とコーナー部品とを有し、縦枠は、縦タイト材ホルダーと、縦タイト材ホルダーに取付けた縦タイト材を有し、横枠は、横タイト材ホルダーと、横タイト材ホルダーに取付けた横タイト材を有し、縦タイト材ホルダーは、縦枠の見込み面から内周側に突出して設けてあり且つ横タイト材ホルダーよりも障子から離れた位置に位置しており、各タイト材は、各タイト材ホルダーに対して長手方向にスライドして取付けてあり、縦タイト材は横タイト材よりも見込み方向の幅が厚いものであり、縦タイト材と横タイト材が見込み方向の同一面で障子に当接しており、コーナー部品は、縦タイト材ホルダーと横タイト材ホルダーの間に設けてあり、縦タイト材ホルダーの端面と横枠の内周側見込み面間に挟み込んで取付けてあり、横タイト材に当接する部分と縦枠の見込み面に当接する部分を有し、縦タイト材と横タイト材をコーナー部品により連続させていることを特徴とする建具。
【請求項２】
コーナー部品は、縦タイト材の内周側見込み面と横タイト材ホルダーの端面間に介在するヒレ片を有することを特徴とする請求項１記載の建具。
【請求項３】
コーナー部品は、縦タイト材ホルダーの端面と横枠の内周側見込み面間に介在するシーラー部と、シーラー部から延出し横タイト材に接続するタイト材接続部を有することを特徴とする請求項１記載の建具。
【発明の詳細な説明】
【技術分野】
【０００１】
本発明は、ドアや開き窓等の建具に関する。
【背景技術】
【０００２】
従来のドアや開き窓では、図９，１０に示すように、縦枠９０と横枠９１の見込み方向の同じ位置にタイト材ホルダー９２，９３が設けられ、障子９６の室内側面に当接する縦横のタイト材９４，９５がこれらタイト材ホルダー９２，９３に保持して四周連続するように設けてある。従来、縦横のタイト材９４，９５は同じものを使用しており、そのタイト材は見込み方向の幅の薄いものであったため、障子９６を閉める際に障子９６の吊元側や戸先側の端部と縦枠９０のタイト材ホルダー９３との間に指を挟み、怪我をするおそれがあった。タイト材ホルダー９２，９３の位置を室内側にずらし、見込み方向が厚いタイト材９４，９５を取付けようとすると、横枠９１にドアクローザー９７や開き調整器等の金具を取付けるスペースがなくなってしまう。そこで従来は、図１０に示すように、縦枠９０に指挟み防止用のカバー９８を別途取付けたりしている。
【発明の概要】
【発明が解決しようとする課題】
【０００３】
本発明は以上に述べた実情に鑑み、縦枠に指挟み防止用のカバーを別途設けることなく、縦枠と障子間の指挟みによる怪我を防止でき、尚且つ枠のコーナー部からの雨水の浸入や光漏れを防止できる建具の提供を目的とする。
【課題を解決するための手段】
【０００４】
上記の課題を達成するために請求項１記載の発明による建具は、枠と、枠に開閉自在に設けた障子とを備え、枠は、縦枠と横枠とコーナー部品とを有し、縦枠は、縦タイト材ホルダーと、縦タイト材ホルダーに取付けた縦タイト材を有し、横枠は、横タイト材ホルダーと、横タイト材ホルダーに取付けた横タイト材を有し、縦タイト材ホルダーは、縦枠の見込み面から内周側に突出して設けてあり且つ横タイト材ホルダーよりも障子から離れた位置に位置しており、各タイト材は、各タイト材ホルダーに対して長手方向にスライドして取付けてあり、縦タイト材は横タイト材よりも見込み方向の幅が厚いものであり、縦タイト材と横タイト材が見込み方向の同一面で障子に当接しており、コーナー部品は、縦タイト材ホルダーと横タイト材ホルダーの間に設けてあり、縦タイト材ホルダーの端面と横枠の内周側見込み面間に挟み込んで取付けてあり、横タイト材に当接する部分と縦枠の見込み面に当接する部分を有し、縦タイト材と横タイト材をコーナー部品により連続させていることを特徴とする。
【０００５】
請求項２記載の発明による建具は、請求項１記載の発明の構成に加え、コーナー部品は、縦タイト材の内周側見込み面と横タイト材ホルダーの端面間に介在するヒレ片を有することを特徴とする。
【０００６】
請求項３記載の発明による建具は、請求項１記載の発明の構成に加え、コーナー部品は、縦タイト材ホルダーの端面と横枠の内周側見込み面間に介在するシーラー部と、シーラー部から延出し横タイト材に接続するタイト材接続部を有することを特徴とする。
【発明の効果】
【０００７】
請求項１記載の発明による建具は、縦タイト材ホルダーを横タイト材ホルダーよりも障子から離れた位置に設け、縦タイト材を横タイト材よりも見込み方向の幅が厚いものとしたので、障子を閉めたときに縦タイト材ホルダーと障子間に指を挟んで怪我をするのを防止できる。横タイト材ホルダーは、障子に近付けて配置できるので、枠の見込み寸法が小さい場合でも、横枠にドアクローザー等の金具を設置するスペースを確保できる。縦タイト材ホルダーと横タイト材ホルダーの間にコーナー部品を設け、コーナー部品は、縦タイト材ホルダーの端面と横枠の内周側見込み面間に挟み込んで取付けてあり、横タイト材に当接する部分と縦枠の見込み面に当接する部分を有し、縦タイト材と横タイト材をコーナー部品により連続させているので、枠のコーナー部からの雨水の浸入や光漏れを防止できる。
【０００８】
請求項２記載の発明による建具は、コーナー部品に、縦タイト材の内周側見込み面と横タイト材ホルダーの端面間に介在するヒレ片を有しているので、横タイト材が伸縮したとしても、縦横タイト材間に隙間が生じず、止水性・気密性を確保できる。
【０００９】
請求項３記載の発明による建具は、コーナー部品に、縦タイト材ホルダーの端面と横枠の内周側見込み面間に介在するシーラー部と、シーラー部から延出して横タイト材に接続するタイト材接続部を有しているので、シーラー部により縦タイト材ホルダー端面と横枠の内周側見込み面間からの雨水の浸入や光漏れを防止でき、タイト材接続部により縦タイト材と横タイト材が連続するため、止水性・気密性を確保できる。
【図面の簡単な説明】
【００１０】
【図１】上枠と縦枠との連結部を示す斜視図である。
【図２】上枠と縦枠との連結部の分解斜視図である。
【図３】（ａ）は上枠と縦枠との連結部を示す縦断面図であり、（ｂ）は同連結部を室外側から見た図であり、（ｃ）は同連結部を下から見た図である。
【図４】下枠と縦枠との連結部を示す斜視図である。
【図５】下枠と縦枠との連結部の分解斜視図である。
【図６】（ａ）は下枠と縦枠との連結部を示す縦断面図であり、（ｂ）は同連結部を上から見た図であり、（ｃ）は同連結部を室外側から見た図である。
【図７】本発明の一実施形態に係るドアの縦断面図である。
【図８】同ドアの横断面図である。
【図９】従来のドアの縦断面図である。
【図１０】従来のドアの横断面図である。
【発明を実施するための形態】
【００１１】
以下、本発明の実施の形態を図面に基づいて説明する。図７，８は、本発明の建具の一実施形態であって、建物の出入口に設置されるドアを示している。本ドアは、躯体開口部に取付けられるドア枠１と、ドア枠１に開閉自在に取付けた障子２とを備える。
ドア枠１は、上枠４と下枠５と左右の縦枠３，３を四周枠組みして構成してある。障子２は、上框１６と下框１７と吊元框１８と戸先框１９とを四周框組みし、その内側にガラスパネル２０（複層ガラス）を納めて構成してある。障子２は、図８に示すように、吊元框１８を室外側から見て右側の縦枠３に蝶番２１により取付けてあり、室外側に回動して開くようになっている。戸先框１９には、ハンドル２２と錠（図示省略）が設けてある。上枠４と上框１６間には、図７に示すように、ドアクローザー２３が設けてある。ドア枠１の見込み寸法は７０ｍｍである。
【００１２】
上枠４は、図７に示すように、障子２の室内側面から約５ｍｍ程度離れた位置に、横タイト材ホルダー８が内周側に突出して設けてあり、横タイト材ホルダー８の先端部に室外側に向けて横タイト材１０が取付けてある。横タイト材１０は、見込み方向の幅が薄いものとなっており、閉鎖した障子２に押されて若干潰れた状態で障子２の室内側面に当接している。上枠４の、横タイト材ホルダー８よりも室内側の内周側見込み面４ａには、ドアクローザー２３のアームが連結されるプレート２４がネジで取付けてある。
【００１３】
縦枠３は、図８に示すように、障子２の室内側面から約１５ｍｍ程度離れた位置に、縦タイト材ホルダー６が内周側に突出して設けてあり、縦タイト材ホルダー６の先端部に室外側に向けて縦タイト材７が取付けてある。縦タイト材７は、中空部７ａを有する見込み方向の幅が厚いものとなっており、閉鎖した障子２に押されて若干潰れた状態で障子２の室内側面に当接している。なお、横タイト材１０と縦タイト材７は、見込み方向の同一面で障子２に当接している。
このように縦タイト材ホルダー６を障子２の室内側面から室内側に大きく離間して配置し、見込み方向の幅の厚い縦タイト材７を設置したことで、障子２を閉める際に障子２の吊元側や戸先側の端部と縦タイト材ホルダー６の間に指を挟むのを縦タイト材７により防止でき、仮にその間に指を挟んだとしても、縦タイト材７が大きく潰れて指が圧迫されないため、怪我を防止できる。
【００１４】
上述のように、縦枠３の縦タイト材ホルダー６の位置を上枠４の横タイト材ホルダー８よりも室内側にずらしたことで、そのままでは横タイト材ホルダー８と縦タイト材ホルダー６の間には隙間ができることになるが、本ドア枠１では図１〜３に示すように、上枠４と縦枠３とのコーナー部内周側にコーナー部品１１を設置することによりその隙間を塞ぎ、且つ横タイト材１０と縦タイト材７を連続させている。
コーナー部品１１は、ゴム製であって、図２に示すように、略ブロック状の基部２５と、基部２５から内周側に離間して垂下するヒレ片１３と、基部２５とヒレ片１３間に設けた溝部２６を有し、溝部２６に縦タイト材７の上端部を嵌め込み、且つ縦タイト材７と縦枠３の内周側見込み面３ａ間に基部２５を嵌め込む形で縦枠３に取付けられる。基部２５は、縦タイト材ホルダー６の室外側面６ａに両面テープで接着され、ヒレ片１３は縦タイト材７の内周側見込み面７ｂに両面テープで接着されている。
上枠４は、横タイト材ホルダー８が長手方向端部から縦タイト材ホルダー６の内周側への突出長さ分だけ切り欠かれており、図１と図３（ｂ）に示すように、横タイト材ホルダー８及び横タイト材１０の端面がヒレ片１３に当接している。すなわちヒレ片１３は、縦タイト材７の内周側見込み面７ｂと横タイト材ホルダー８の端面間に圧縮された状態で介在しており、これにより横タイト材１０が気温の変化に伴って伸縮したとしても、縦横のタイト材７，１０間に隙間が生じず、止水性・気密性を確保できる。またコーナー部品１１の基部２５は、上枠４の内周側見込み面４ａと縦枠３の内周側見込み面３ａとに密着し、内周側コーナー部からの雨水の浸入や光漏れを防止する。上枠４の端面は、シーラー２７を挟んで縦枠３の内周側見込み面３ａに突き当てられている。
【００１５】
下枠５は、図７に示すように、上枠４の横タイト材ホルダー８と同じ寸法だけ障子２の室内側面から離れた位置に横タイト材ホルダー９が設けてあり、上枠４の横タイト材１０と同一の横タイト材１０が取付けてある。横タイト材１０は、縦枠３の内周側見込み面３ａまでのびている。下枠５の室内側の内周側見込み面（上面）５ａには室外側に突出した突片２８が設けてあり、横タイト材ホルダー９は突片２８より５ｍｍ程度下に下がった位置に設けてある。そのため、室内側からは横タイト材１０が見えず、横タイト材１０がカビで汚れても室内側にいる人に不快感を与えず、また下枠上面５ａを足で踏んでも横タイト材１０に触れないため、横タイト材１０の損傷を防止できる。
【００１６】
図４〜６に示すように、下枠５と縦枠３とのコーナー部内周側にもコーナー部品１２が設置してあり、コーナー部品１２により縦タイト材７と横タイト材１０を連続させている。コーナー部品１２はゴム製で、板状のシーラー部１４と、シーラー部１４から室外側に延出すると共に下方に垂下したタイト材接続部１５を有している。コーナー部品１２は、図５に示すように、下枠５の突片２８を長手方向の端部から所定の幅だけ切り欠いた上で、シーラー部１４の下面を下枠の内周側見込み面５ａに両面テープで接着し、タイト材接続部１５の室内側面を下枠５の見付け面５ｂに両面テープで接着して取付けてある。
縦枠３は、縦タイト材ホルダー６を縦枠下端から所定の長さだけ切り欠き、下枠５の端面を縦枠３の内周側見込み面３ａにシーラー２７を挟んで突き当てている。そうして下枠５と縦枠３を連結すると、図４，６に示すように、縦タイト材ホルダー６及び縦タイト材７の下端面がコーナー部品１２の上面に密着し、コーナー部品１２のタイト材接続部１５の下面が横タイト材１０の内周側見込み面１０ａに当接し、縦タイト材７と横タイト材１０が連続する。縦タイト材７と横タイト材１０とタイト材接続部１５は、見込み方向の同一面で閉鎖した障子２に当接し、雨水の浸入や風の吹き込み等を防止する。また、コーナー部品１２のシーラー部１４により、縦枠３の縦タイト材ホルダー６の下端面と下枠内周側面５ａとのメタルタッチを回避し、両者の突合せ部からの雨水の浸入や光漏れを防止できる。
【００１７】
以上に述べたように本ドアは、縦枠３の縦タイト材ホルダー６を障子２から室内側に離して設け、見込み方向の幅の厚い縦タイト材７を取付けたことにより、障子２を閉めたときに障子２の吊元側や戸先側の端部と縦タイト材ホルダー６間に指を挟んで怪我をするのを防止できる。横タイト材ホルダー８，９は障子２に近付けて配置し、横タイト材１０は見込み方向の幅の薄いものを用いているので、ドア枠１の見込み寸法が小さい場合でも、上枠４と下枠５の室内側にドアクローザー等の金具（プレート２４等）のための水平な取付け面を確保できる。また、上枠４の横タイト材ホルダー８と縦枠３の縦タイト材ホルダー６間、及び下枠５の横タイト材ホルダー９と縦枠３の縦タイト材ホルダー６間にゴム製のコーナー部品１１，１２を配置し、縦横のタイト材７，１０をコーナー部品１１，１２により連続させたので、コーナー部からの雨水の浸入や光漏れを確実に防止できる。
【００１８】
本発明は以上に述べた実施形態に限定されない。本発明の建具は、ドアに限らず、開き窓や縦すべり出し窓にも適用できる。障子が室内側に開くようにすることもできる。障子の構成は任意であり、実施形態のような框ドアに限らず、フラッシュドアであってもよい。タイト材とコーナー部品の材質や形状は、適宜変更することができる。
【符号の説明】
【００１９】
１  ドア枠（枠）
２  障子
３  縦枠
４  上枠（横枠）
５  下枠（横枠）
６  縦タイト材ホルダー
７  縦タイト材
７ｂ  縦タイト材の内周側見込み面
８  横タイト材ホルダー（上枠）
９  横タイト材ホルダー（下枠）
１０  横タイト材
１１，１２  コーナー部品
１３  ヒレ片
１４  シーラー部
１５  タイト材接続部
【図１】
0005385316.tif 000002
【図２】
0005385316.tif 000003
【図３】
0005385316.tif 000004
【図４】
0005385316.tif 000005
【図５】
0005385316.tif 000006
【図６】
0005385316.tif 000007
【図７】
0005385316.tif 000008
【図８】
0005385316.tif 000009
【図９】
0005385316.tif 000010
【図１０】
0005385316.tif 000011